(57)【要約】【課題】吹出口の風路幅（開口面積）の調整を可能としつつ、吹出口内に設けられた風向板への結露を抑制できるようにする。【解決手段】所定の幅を有し、上下方向に揺動可能な風向板１０の近傍の上流側に少なくとも１つ配置されて、吹出口６を部分的に閉塞することで、吹出口６の開口面積を規定する風速調整板１１を備え、風速調整板１１には通風孔１３を設け、通風孔１３により風向板１０の外側面に吹出し風を案内し、結露を抑制する。【選択図】図１
2010243022.tif 000002
【特許請求の範囲】
【請求項１】
上下方向に揺動可能な風向板を有する吹出口を備えた空気調和機において、
所定の幅を有し前記風向板近傍の上流側に少なくとも１つ配置されて前記吹出口を部分的に閉塞することで該吹出口の開口面積を規定する風速調整板を備え、
該風速調整板には通風孔を設け、該通風孔により該風向板の外側面に吹出し風を案内することを特徴とする空気調和機。
【請求項２】
前記風速調整板は、風路の上流側へ凸の山形形状を有することを特徴とする請求項１記載の空気調和機。
【請求項３】
前記風速調整板を、吹出口長手方向の両端もしくは片端に設けたことを特徴とする請求項１又は請求項２記載の空気調和機。
【請求項４】
前記風速調整板に、前記通風孔へ吹出し風を導くガイドを設けたことを特徴とする請求項１乃至請求項３のいずれかに記載の空気調和機。
【発明の詳細な説明】
【技術分野】
【０００１】
本発明は、風向板を有する吹出口を備えた空気調和機、特に吹出口の開口面積を規定する風速調整板を備えた空気調和機に関する。
【背景技術】
【０００２】
空気調和機は、所定の吹出し風量に対し、吹出口の開口面積により吹出し風の風速、つまり吹出し風の到達距離が決まる。従って、所定の吹出し風量に対して、吹出し風を目標位置に到達させるため、所定の吹出し風速が得られるように吹出口の開口面積が決められ、筐体が設計される。
【０００３】
ところで、４方の吹出口を備えた天井埋込形空気調和機において、吹出口の風路幅（開口面積）を可変することで、吹出し風量および風速を調節する邪魔板を備えた風路幅調整機構を設けて、設置場所に応じて、各吹出口からの吹出し風量および風速を異ならせることができるようにしたものが提案されている（例えば、特許文献１参照）。
【０００４】
また、前記特許文献１には、邪魔板よりも下流側となる吹出口内に、吹出し流れを案内する風向板が設けられる場合、邪魔板に小孔を設け、これによって風向板に沿う気流を多く得られるようにして、風向板による風向の調整作用を確実に行えるようにしたものも提案されている。
【先行技術文献】
【特許文献】
【０００５】
【特許文献１】国際公開第ＷＯ０１／０７９７６２号パンフレット（図１）
【発明の概要】
【発明が解決しようとする課題】
【０００６】
ところで、ある所定の吹出し風量に対して、吹出し風が目標位置に到達するように決められた開口面積を有する吹出口を備えた筐体を、ある所定の吹出し風量より少ない風量にて使用する機種にそのまま用いた場合、吹出し風の到達距離は短くなる。
【０００７】
また、吹出口の風路幅（開口面積）を可変できる邪魔板を備えた風路幅調整機構を設けるとともに、風路幅調整機構よりも下流側となる吹出口内に、吹出し流れを案内する風向板を設けたものにあっては、吹出口の開口面積が設計値よりも大きい筐体でも、吹出口の風路幅（開口面積）の調整ができるため、使用が可能となるものの、邪魔板の風路下流側に設けられた風向板への結露に関する考慮がなされていないため、邪魔板により吹出し風を遮られた風向板周りに、空調対象である室内環境が多湿な環境下においての冷房運転時に結露が発生する。
【０００８】
本発明の技術的課題は、吹出口の風路幅（開口面積）の調整を可能としつつ、吹出口内に設けられた風向板への結露を抑制できるようにすることにある。
【課題を解決するための手段】
【０００９】
本発明に係る空気調和機は、下記の構成からなるものである。すなわち、上下方向に揺動可能な風向板を有する吹出口を備えた空気調和機において、所定の幅を有し風向板近傍の上流側に少なくとも１つ配置されて吹出口を部分的に閉塞することで吹出口の開口面積を規定する風速調整板を備え、風速調整板には通風孔を設け、通風孔により風向板の外側面に吹出し風を案内するものである。
【発明の効果】
【００１０】
本発明に係る空気調和機においては、風向板近傍の上流側に配置されて吹出口を部分的に閉塞する風速調整板を１つまたは複数用いて吹出口の開口面積を調整することができる。このため、複数機種に跨る筐体の共通化が図れ、筐体の製作コストを抑えることができる。
また、風速調整板に設けた通風孔より風向板の外側面に吹出し風を流すことで、結露を抑制することができる。
【図面の簡単な説明】
【００１１】
【図１】本発明の一実施の形態に係る空気調和機を側方から見た縦断面図である。
【図２】本発明の一実施の形態に係る空気調和機の要部である風速調整板を示す平面図、正面図、及び側面図である。
【図３】本発明の一実施の形態に係る空気調和機の要部である吹出口を正面より拡大して示す外観図である。
【発明を実施するための形態】
【００１２】
以下、図示実施形態により本発明を説明する。
図１は本発明の一実施の形態に係る空気調和機を側方から見た縦断面図である。図２は本発明の一実施の形態に係る空気調和機の要部である風速調整板を示す平面図、正面図、及び側面図である。図３は本発明の一実施の形態に係る空気調和機の要部である吹出口を正面より拡大して示す外観図である。
【００１３】
本実施の形態の空気調和機は、天井埋込形室内機と呼ばれ、図１のようにその筐体１内には、空調対象の室内空気を吸込む吸込口２側の風路５ａに吸引側を臨ませた送風機３が設けられている。送風機３の吹出し側には、熱交換器４が配置され、熱交換器４を通過した空気が風路５ｂから吹出口６を通して再び室内へ導風されるようになっている。また、熱交換器４の下部には、冷房運転時に熱交換器４で発生し滴下する凝縮水を受けるドレンパン７が配置されている。
【００１４】
空調機本体下部の空調対象の室内に露出する部分には、化粧パネル８が取り付けられ、空調機本体の吸込口２の位置に吸込みグリル９が、さらに吹出口６の位置に上下方向に揺動可能な風向板１０が設けられている。
【００１５】
また、空調機本体の吹出口６の長手方向の両端における風向板１０近傍の上流側に、それぞれ風向板１０の動作を妨げないように所定の幅を有する風速調整板１１，１１が設置されている。
【００１６】
風速調整板１１は、図１及び図２のように樹脂材料にて山形形状に成型されたプレート１２で構成され、風路５ｂ内に上流側へ凸となる姿勢で配置され、両端部に形成した取付穴１５により空調機本体側へ取り付けられるようになっていて、吹出口６を部分的に閉塞することで、吹出口６の開口面積を規定する機能を有している。
【００１７】
また、風速調整板１１には、その山形形状の一端側に、幅方向（設置時に吹出口長手方向となる）に複数の通風孔１３が設けられているとともに山形形状の尾根の部分に、風路５ｂにより導風された空気を各通風孔１３へ案内する複数のガイド１４が並設されていて、風向板１０が水平風向姿勢（冷房運転時）にあるときに、これら通風孔１３を通して、風向板１０における風速調整板設置側の外側面（室内側面）１０ａ，１０ｂ（図３）に吹出し風の一部を流すことができるようになっている。
【００１８】
さらに、図１のように風速調整板１１の山形形状の通風孔１３側の斜面とこれが取り付けられる本体側の壁面（ここではドレンパンの側壁）１ａとにより三角溝形の樋が形成されるため、吹出し風の一部はこの三角溝形の樋に案内されて風向板１０における吹出口長手中間部の外側面（室内側面）１０ｃ（図３）にも流されるようになっている。
【００１９】
本実施の形態の空気調和機において、冷房運転時、室内の空気は化粧パネル８の吸込みグリル９から吸込口２、風路５ａを通り、送風機３に吸引され、風路５ｂ側に吹き出される。そして、送風機３より吹き出された空気は、熱交換器４を通過し、風路５ｂにより吹出口６へ案内される。吹出口６では、吹出し風が目標位置に到達するように風速調整板１１によって風路幅（開口面積）が小さくなるように調整されているので、通過風速が増加し、次いで化粧パネル８の風向板１０により風向され、室内へ吹出される。
【００２０】
また、風路５ｂにより吹出口６へ案内された空気の一部は、風速調整板１１の各ガイド１４により各通風孔１３へ案内され、通風孔１３を通して、風向板１０における風速調整板設置側の外側面（室内側面）１０ａ，１０ｂに流される。
【００２１】
また、風路５ｂにより吹出口６へ案内された空気の他の一部は、風速調整板１１の山形形状の斜面と本体側の壁面１ａにより形成される三角溝形の樋に案内されて、風向板１０における吹出口長手中間部の外側面（室内側面）１０ｃにも流される。
【００２２】
このように、本実施の形態の空気調和機においては、吹出口６の風路幅（開口面積）の調整が、風速調整板１１（の使用枚数）により可能となる。このため、複数機種に跨る筐体の共通化が図れ、筐体の製作コストを抑えることができる。
【００２３】
さらに、風速調整板１１に設けた通風孔１３により、それよりも下流側の風向板１０が水平風向姿勢（冷房運転時）にあるときに、風向板１０の外側面（室内側面）に吹出し風の一部を流すことができる。このため、空調対象の室内環境が多湿な環境下においての冷房運転時に、風向板１０への結露を抑制することができる。
【符号の説明】
【００２４】
６  吹出口、１０  風向板、１０ａ，１０ｂ，１０ｃ  風向板の外側面、１１  風速調整板、１３  通風孔、１４  ガイド。
【図１】
2010243022.tif 000003
【図２】
2010243022.tif 000004
【図３】
2010243022.tif 000005